(57)【特許請求の範囲】
【請求項１】
表示手段と、
前記表示手段の表示画面と一体的に形成されたタッチパネルと、
テキストを含むコンテンツを少なくとも１つ記憶するコンテンツ記憶手段と、
前記コンテンツ記憶手段により記憶された前記コンテンツのテキストの一部を、ユーザ操作に基づいて前記表示手段に表示させるテキスト表示制御手段と、
ユーザ操作に基づいて、前記テキスト表示制御手段により表示されたテキストの一部内の文字列を指定文字列として指定する文字列指定手段と、
前記テキスト表示制御手段によりテキストの一部を表示した状態で、前記タッチパネルを介してユーザから手書き入力を受けることにより、前記指定文字列についてのノート画面を作成するノート画面作成手段と、
ノート画面を表すノート画面データと、前記指定文字列または当該指定文字列の読みを表す検索キーワードとを対応付けてノート情報として複数記憶するノート情報記憶手段と、
ユーザから検索文字列の入力を受ける検索文字列入力手段と、
前記複数のノート情報から、前記検索文字列に対応する検索キーワードのノート情報を検索し、検出されたノート情報のノート画面データで表されるノート画面を前記表示手段に表示させるノート画面表示制御手段と、
前記ノート画面表示制御手段により表示されたノート画面を他のコンテンツのテキストの一部に貼り付ける貼り付け手段と、
を備えることを特徴とする情報表示装置。
【請求項２】
請求項１記載の情報表示装置において、
前記テキスト表示制御手段によりコンテンツのテキストの一部が読み出されたときに、そのテキストの一部に前記ノート画面作成手段によりノート画面が作成されている場合、その旨を報知する作成済み報知手段と、
前記テキスト表示制御手段によりコンテンツのテキストの一部が読み出されたときに、そのテキストの一部に前記貼り付け手段によりノート画面が貼り付けられている場合、その旨を報知する貼り付け報知手段と、
前記作成済み報知手段によって報知された場合に、ユーザ操作に基づいて、作成されていたノート画面を前記ノート情報記憶手段から読み出して前記表示手段に表示させ、前記貼り付け報知手段によって報知された場合に、ユーザ操作に基づいて、貼り付けられていたノート画面を前記ノート情報記憶手段から読み出して前記表示手段に表示させるノート画面読み出し手段とを備えたことを特徴とする情報表示装置。
【請求項３】
請求項２記載の情報表示装置において、
前記ノート画面作成手段は、
前記コンテンツにおける同一の部分のテキストを表示した状態の表示画面内で、前記タッチパネルを介してユーザから手書き入力を受けることにより、同一の指定文字列について、または異なる２以上の指定文字列について、複数のノート画面を作成可能であり、
前記ノート画面読み出し手段は、
複数のノート画面が作成された部分のテキストが前記表示手段に表示され、表示部分のテキストに対しノート画面が作成済みである旨が前記作成済み報知手段によって報知された場合に、ユーザ操作に基づいて、当該複数のノート画面を順に前記表示手段に表示させることを特徴とする情報表示装置。
【請求項４】
請求項２又は３に記載の情報表示装置において、  前記ノート画面データは、  ノート画面が作成された部分のテキストの位置情報と、当該ノート画面が作成されたときの前記表示画面の表示設定情報と、前記タッチパネルを介してユーザから手書き入力された手書き画像の画像データとを有しており、 前記ノート画面読み出し手段は、  前記テキストの位置情報と、前記表示設定情報とに基づいて、ノート画面が作成された部分のテキストを、当該ノート画面が作成されたときの表示設定で前記表示手段に表示させるとともに、この表示内容に重ねて前記手書き画像を表示させることにより、前記ノート画面を表示させることを特徴とする情報表示装置。
【請求項５】
請求項２〜４の何れか一項に記載の情報表示装置において、  前記ノート情報記憶手段は、  前記ノート画面作成手段によりノート画面が作成されたテキストの一部の位置情報を前記ノート情報に含めて記憶するとともに、前記貼り付け手段により当該ノート画面が貼り付けられた他のコンテンツのテキストの一部の位置情報をリンク情報として記憶し、  前記貼り付け報知手段は、前記リンク情報により前記ノート画面データに対応付けられた部分のテキストが前記表示手段に表示される場合に、貼り付けがある旨を当該表示手段に表示させることを特徴とする情報表示装置。
【請求項６】
請求項１〜５の何れか一項に記載の情報表示装置において、
前記コンテンツの少なくとも１つは、
各見出し語に対し、当該見出語の説明情報のテキストを対応付けた１つ以上の辞書情報からなる辞書データベースであることを特徴とする情報表示装置。
【請求項７】
表示手段と、当該表示手段の表示画面と一体的に形成されたタッチパネルとを有するコンピュータに、
テキストを含むコンテンツを少なくとも１つ記憶するコンテンツ記憶手段と、
前記コンテンツ記憶手段により記憶された前記コンテンツのテキストの一部を、ユーザ操作に基づいて前記表示手段に表示させるテキスト表示制御手段と、
ユーザ操作に基づいて、前記テキスト表示制御手段により表示されたテキストの一部内の文字列を指定文字列として指定する文字列指定手段と、
前記テキスト表示制御手段によりテキストの一部を表示した状態で、前記タッチパネルを介してユーザから手書き入力を受けることにより、前記指定文字列についてのノート画面を作成するノート画面作成手段と、
ノート画面を表すノート画面データと、前記指定文字列または当該指定文字列の読みを表す検索キーワードとを対応付けてノート情報として複数記憶するノート情報記憶手段と、
ユーザから検索文字列の入力を受ける検索文字列入力手段と、
前記複数のノート情報から、前記検索文字列に対応する検索キーワードのノート情報を検索し、検出されたノート情報のノート画面データで表されるノート画面を前記表示手段に表示させるノート画面表示制御手段と、
前記ノート画面表示制御手段により表示されたノート画面を他のコンテンツのテキストの一部に貼り付ける貼り付け手段と、
を実現させることを特徴とする情報表示プログラム。
【発明の詳細な説明】
【技術分野】
【０００１】
本発明は、情報表示装置及び情報表示プログラムに関する。
【背景技術】
【０００２】
従来から、テキストコンテンツや辞書データベースを内蔵する情報表示装置には、学習効果の向上を図るため、暗記カード機能やノート機能が具備されている。
【０００３】
ここで、暗記カード機能とは、暗記カードの両面の内容を対応付けて複数記憶しておき、ユーザ操作に基づいて一方の面を表示させた後、他方の面を表示させる機能である（例えば、特許文献１参照）。
【０００４】
また、ノート機能とは、見出し語の説明情報などが表示された状態から、そのテキスト内にユーザが手書き入力を行ってノート画面を作成した場合に、その画像データを順に登録しておく機能である。
【先行技術文献】
【特許文献】
【０００５】
【特許文献１】特開２０１０−２１１０９０号公報
【発明の概要】
【発明が解決しようとする課題】
【０００６】
しかしながら、従来のノート機能では、以前に登録したノート画面を画像データの登録番号から探すしかないため、検索性が悪いという問題がある。
【０００７】
本発明の課題は、ノート画面の検索性を向上させることのできる情報表示装置及び情報表示プログラムを提供することである。
【課題を解決するための手段】
【０００８】
本発明に係る情報表示装置は、
表示手段と、
前記表示手段の表示画面と一体的に形成されたタッチパネルと、
テキストを含むコンテンツを少なくとも１つ記憶するコンテンツ記憶手段と、
前記コンテンツ記憶手段により記憶された前記コンテンツのテキストの一部を、ユーザ操作に基づいて前記表示手段に表示させるテキスト表示制御手段と、
ユーザ操作に基づいて、前記テキスト表示制御手段により表示されたテキストの一部内の文字列を指定文字列として指定する文字列指定手段と、
前記テキスト表示制御手段によりテキストの一部を表示した状態で、前記タッチパネルを介してユーザから手書き入力を受けることにより、前記指定文字列についてのノート画面を作成するノート画面作成手段と、
ノート画面を表すノート画面データと、前記指定文字列または当該指定文字列の読みを表す検索キーワードとを対応付けてノート情報として複数記憶するノート情報記憶手段と、
ユーザから検索文字列の入力を受ける検索文字列入力手段と、
前記複数のノート情報から、前記検索文字列に対応する検索キーワードのノート情報を検索し、検出されたノート情報のノート画面データで表されるノート画面を前記表示手段に表示させるノート画面表示制御手段と、
前記ノート画面表示制御手段により表示されたノート画面を他のコンテンツのテキストの一部に貼り付ける貼り付け手段と、
を備えることを特徴とする。
【００１５】
本発明に係る情報表示プログラムは、
表示手段と、当該表示手段の表示画面と一体的に形成されたタッチパネルとを有するコンピュータに、
テキストを含むコンテンツを少なくとも１つ記憶するコンテンツ記憶手段と、
前記コンテンツ記憶手段により記憶された前記コンテンツのテキストの一部を、ユーザ操作に基づいて前記表示手段に表示させるテキスト表示制御手段と、
ユーザ操作に基づいて、前記テキスト表示制御手段により表示されたテキストの一部内の文字列を指定文字列として指定する文字列指定手段と、
前記テキスト表示制御手段によりテキストの一部を表示した状態で、前記タッチパネルを介してユーザから手書き入力を受けることにより、前記指定文字列についてのノート画面を作成するノート画面作成手段と、
ノート画面を表すノート画面データと、前記指定文字列または当該指定文字列の読みを表す検索キーワードとを対応付けてノート情報として複数記憶するノート情報記憶手段と、
ユーザから検索文字列の入力を受ける検索文字列入力手段と、
前記複数のノート情報から、前記検索文字列に対応する検索キーワードのノート情報を検索し、検出されたノート情報のノート画面データで表されるノート画面を前記表示手段に表示させるノート画面表示制御手段と、
前記ノート画面表示制御手段により表示されたノート画面を他のコンテンツのテキストの一部に貼り付ける貼り付け手段と、
を実現させることを特徴とする。
【発明の効果】
【００１６】
本発明によれば、複数のノート情報から、検索文字列に対応する検索キーワードのノート情報を検索して読みだすことができ、またノート情報を他のテキスト部分に貼り付けもできるので、画像データの登録番号からノート画面を探す従来の場合と比較して、ノート画面の検索性を向上させ、学習効果を高めることができる。
【図面の簡単な説明】
【００１７】
【図１】電子辞書の概観を示す平面図である。
【図２】電子辞書の内部構成を示すブロック図である。
【図３】ノートデータベースのデータ構造を示す概念図である。
【図４】情報表示処理を示すフローチャートである。
【図５】ノート作成処理を示すフローチャートである。
【図６】ノート貼付処理を示すフローチャートである。
【図７】ノート閲覧・編集処理を示すフローチャートである。
【図８】表示部による表示内容を示す図である。
【図９】表示部による表示内容を示す図である。
【図１０】表示部による表示内容を示す図である。
【図１１】表示部による表示内容を示す図である。
【図１２】表示部による表示内容を示す図である。
【図１３】表示部による表示内容を示す図である。
【図１４】表示部による表示内容を示す図である。
【図１５】表示部による表示内容を示す図である。
【発明を実施するための形態】
【００１８】
以下、図面を参照して、本発明に係る情報表示装置を電子辞書に適用した場合の実施形態について詳細に説明する。
【００１９】
［外観構成］
図１は、電子辞書１の平面図である。
この図に示すように、電子辞書１は、メインディスプレイ１０、サブディスプレイ１１、カードスロット１２及びキー群２を備えている。
【００２０】
メインディスプレイ１０及びサブディスプレイ１１は、ユーザによるキー群２の操作に応じた文字や符号等、各種データを表示する部分であり、ＬＣＤ（Liquid Crystal Display）やＥＬＤ（Electronic Luminescence Display）等によって構成されている。なお、本実施の形態におけるメインディスプレイ１０及びサブディスプレイ１１は、それぞれタッチパネル１１０（図２参照）と一体的に形成されており、手書き入力等の操作を受け付け可能となっている。
【００２１】
カードスロット１２は、種々の情報を記憶した外部情報記憶媒体１２ａ（図２参照）と着脱可能に設けられている。
【００２２】
キー群２は、ユーザから電子辞書１を操作するための操作を受ける各種キーを有している。具体的には、キー群２は、訳／決定キー２ｂと、文字キー２ｃと、辞書選択キー２ｄと、カーソルキー２ｅと、戻るキー２ｇ等とを有している。
【００２３】
訳／決定キー２ｂは、検索の実行や、見出し語の決定等に使用されるキーである。文字キー２ｃは、ユーザによる文字の入力等に使用されるキーであり、本実施の形態においては“Ａ”〜“Ｚ”キーを備えている。辞書選択キー２ｄは、後述の辞書データベース７０ａ，…（図２参照）の選択に使用されるキーである。
【００２４】
カーソルキー２ｅは、画面内の反転表示位置、つまりカーソル位置の移動等に使用されるキーであり、本実施の形態においては上下左右の方向を指定可能となっている。戻るキー２ｇは、前回表示した画面に戻るとき等に使用されるキーである。
【００２５】
［内部構成］
続いて、電子辞書１の内部構成について説明する。図２は、電子辞書１の内部構成を示すブロック図である。
【００２６】
この図に示すように、電子辞書１は、表示部４０、入力部３０、通信部５０、記録媒体読取部５５、ＣＰＵ（Central Processing Unit）２０、フラッシュＲＯＭ（Read Only Memory）８０、ＲＡＭ（Random Access Memory）９０を備え、各部はバスで相互にデータ通信可能に接続されて構成されている。
【００２７】
表示部４０は、上述のメインディスプレイ１０及びサブディスプレイ１１からなり、ＣＰＵ２０から入力される表示信号に基づいて各種情報をメインディスプレイ１０やサブディスプレイ１１に表示するようになっている。
【００２８】
入力部３０は、上述のキー群２やタッチパネル１１０を備えており、押下されたキーやタッチパネル１１０の位置に対応する信号をＣＰＵ２０に出力するようになっている。
【００２９】
通信部５０は、有線／無線ＬＡＮ（Local Area Network）等により近距離通信可能となっているか、或いはインターネットに接続可能となっており、これにより、通信機能を備えた外部機器との通信が可能となっている。
【００３０】
記録媒体読取部５５は、上述のカードスロット１２を備えており、当該カードスロット１２に装着された外部情報記憶媒体１２ａから情報を読み出したり、当該外部情報記憶媒体１２ａに情報を記録したりするようになっている。
【００３１】
ここで、外部情報記憶媒体１２ａには、通信部５０を介してダウンロードされるコンテンツ７０等が格納されるようになっている。なお、このコンテンツ７０は後述のフラッシュＲＯＭ８０におけるコンテンツ７０と同様のデータ構造を有しているため、ここでは説明を省略する。
【００３２】
ＣＰＵ２０は、入力される指示に応じて所定のプログラムに基づいた処理を実行し、各機能部への指示やデータの転送等を行い、電子辞書１を統括的に制御するようになっている。具体的には、ＣＰＵ２０は、入力部３０から入力される操作信号等に応じてフラッシュＲＯＭ８０に格納された各種プログラムを読み出し、当該プログラムに従って処理を実行する。そして、ＣＰＵ２０は、処理結果をＲＡＭ９０に保存するとともに、当該処理結果を表示部４０に適宜出力させる。
【００３３】
フラッシュＲＯＭ８０は、電子辞書１の各種機能を実現するためのプログラムやデータを記憶するメモリである。本実施の形態においては、フラッシュＲＯＭ８０は、本発明に係る情報表示プログラム８１と、コンテンツ群７と、ノートデータベース６等とを記憶している。
【００３４】
情報表示プログラム８１は、後述の情報表示処理（図４参照）をＣＰＵ２０に実行させるためのプログラムである。
【００３５】
コンテンツ群７は、各項目に対してテキスト（以下、項目テキストとする）を対応付けた１つ以上の項目情報からなるコンテンツ７０を複数有しており、本実施の形態においては、複数の辞書データベース７０ａ及びテキストコンテンツ７０ｂを有している。
【００３６】
辞書データベース７０ａ，…には、項目である見出し語と、この見出し語の説明情報のテキスト（項目テキスト）とを対応付けた１つ以上の辞書情報が格納されている。なお、本実施の形態においては、このような辞書データベース７０ａとして、「日本史小事典」や「百科事典」などの辞書データベース７０ａがコンテンツ群７に含まれている。
【００３７】
テキストコンテンツ７０ｂには、複数種類の各項目（章番号など）と、当該項目の内容を示すテキスト（項目テキスト）とを対応付けた複数の項目情報が格納されている。
【００３８】
ノートデータベース６は、図３に示すように、後述の情報表示処理（図４参照）においてユーザに作成されるノート情報６０を複数有している。
【００３９】
このノート情報６０は、ノート情報６０の登録順を示すノート番号６１に対し、ノート画面データ６２と、検索キーワード６３と、登録アイコンデータ６４と、リンク元位置情報６５等とを対応付けたデータである。
【００４０】
ノート画面データ６２は、ノート画面を表すデータであり、本実施の形態においては、手書き画像データ６２ａと、使用ペン色情報６２ｂと、登録位置情報６２ｃと、登録時画面情報６２ｄとを有している。なお、本実施の形態におけるノート画面とは、テキスト内に対して書き込みの行われた状態を示す画面である。
【００４１】
手書き画像データ６２ａは、タッチパネル１１０を介して手書き入力された手書き画像のデータであり、本実施の形態においてはモノクロの画像データとなっている。
【００４２】
使用ペン色情報６２ｂは、手書き入力時に使用されていたペン色を示すデータであり、手書き画像の色を示すようになっている。なお、本実施の形態においては、１つの手書き画像における各手書き部分に対し、別個のペン色を使用することが可能となっており、この場合には、使用ペン色情報６２ｂは各手書き部分にペン色を対応付けたデータとなる。
【００４３】
登録位置情報６２ｃは、ノート画面が作成されたときに表示されていたテキスト部分の位置情報を示すデータであり、具体的には、コンテンツ７０の名前と、表示されていたテキスト部分の項目名（辞書データベース７０ａの場合には見出し語）と、当該項目のテキストのうち、表示されていたテキスト部分の行数と、ノート画面の作成時に指定される指定文字列などとを含んでいる。
【００４４】
登録時画面情報６２ｄは、ノート画面が作成されたときのメインディスプレイ１０の表示設定を示すデータであり、具体的には、画面レイアウトや文字サイズ等の情報を含んでいる。
【００４５】
また、検索キーワード６３は、ノート情報６０を検索するためのキーとして使用される文字列であり、本実施の形態においては、ノート画面の作成時に指定される指定文字列の読みを表す文字列がデフォルトで使用されるようになっている。但し、指定文字列自体が検索キーワード６３として使用されることとしても良い。
【００４６】
また、登録アイコンデータ６４は、ノート情報６０を検索するためのキーとして使用されるアイコン６４０（図９（ａ）参照）の種類を示すデータであり、当該アイコン６４０の種類はユーザによって選択されるようになっている。
【００４７】
また、リンク元位置情報６５は、対応するノート画面データ６２で表されるノート画面をリンク先とするテキスト部分の位置情報を示すデータであり、具体的には、リンク元のコンテンツ７０の名前と、テキスト部分の項目名と、当該項目のテキストのうち、表示されるべき部分の行数等とを含んでいる。なお、このリンク元位置情報６５には、リンク元のテキスト部分の位置情報が複数含まれていてもよい。
【００４８】
なお、以上のノートデータベース６について、図３では、共通の登録位置情報６２ｃ及び登録時画面情報６２ｄを有するノート情報６０が複数記憶され、更に、これらのノート情報６０とは異なる登録位置情報６２ｃ及び登録時画面情報６２ｄを有するノート情報６０が複数記憶された状態を図示している。
【００４９】
ＲＡＭ９０は、ＣＰＵ２０が実行する各種プログラムや、これらプログラムの実行に係るデータ等を一時的に保持するメモリ領域を備えている。
【００５０】
［動作］
続いて、電子辞書１の動作について、図面を参照しつつ説明する。
【００５１】
＜情報表示処理＞
図４は、ＣＰＵ２０が情報表示プログラム８１を読み出して実行する情報表示処理の流れを示すフローチャートである。
【００５２】
この図に示すように、情報表示処理においてまずＣＰＵ２０は、ユーザ操作に基づいて任意のコンテンツ７０を指定するとともに、当該コンテンツ７０（以下、指定コンテンツ７０Ｓとする）における任意の項目テキストの任意の部分について、表示指示操作をユーザから受け付ける（ステップＳ１）。ここで、このステップＳ１において指定コンテンツ７０Ｓが辞書データベース７０ａである場合には、ユーザは見出し語検索によって見出し語の説明情報テキストを表示させることとしても良いし、ジャンプ検索によって見出し語の説明情報テキストを表示させることとしても良い。なお、見出し語検索とは、所望の辞書データベース７０ａ（指定コンテンツ７０Ｓ）から、入力文字列に対応する見出し語を検索することである。また、ジャンプ検索とは、表示されているテキスト中の指定単語に対応する見出し語を、所望の辞書データベース７０ａ（指定コンテンツ７０Ｓ）から検索することである。
【００５３】
次に、ＣＰＵ２０は、各ノート情報６０におけるリンク元位置情報６５，登録位置情報６２ｃと、表示指示の行われた部分のテキストの位置情報とが一致するか否かに基づいて、この部分の項目テキストに対してノート画面が対応付けられているか否かを判定する（ステップＳ２）。
【００５４】
このステップＳ２において、表示指示の行われた部分の項目テキストに対してノート画面が対応付けられていないと判定した場合（ステップＳ２；Ｎｏ）には、ＣＰＵ２０は、この部分の項目テキストをメインディスプレイ１０に表示させた後（ステップＳ３）、後述のステップＳ５に移行する。
【００５５】
また、ステップＳ２において、表示指示の行われた部分の項目テキストに対してノート画面が対応付けられていると判定した場合（ステップＳ２；Ｙｅｓ）には、ＣＰＵ２０は、この部分の項目テキストをメインディスプレイ１０に表示させるとともに、ノート有りマークＭ１及びリンク有りマークＭ２（図１１（ａ），図１４（ｃ）参照）の少なくとも一方を表示させる（ステップＳ４）。ここで、ノート有りマークＭ１とは、表示される部分のテキストに対してノート画面が登録されている旨を示すマークであり、当該テキストの位置情報と、ノート情報６０における登録位置情報６２ｃとが一致する場合に表示される。一方、リンク有りマークＭ２とは、表示される部分のテキストをリンク元とするノート画面が登録されている旨を示すマークであり、当該テキストの位置情報と、ノート情報６０におけるリンク元位置情報６５とが一致する場合に表示される。これらノート有りマークＭ１またはリンク有りマークＭ２は、それぞれ登録位置情報６２ｃまたはリンク元位置情報６５に対応する位置に表示される。これにより、ノート画面データ６２の作成された部分のテキストが表示される場合には、その旨を示すノート有りマークＭ１が該当箇所に表示されることとなる。同様に、リンク元位置情報６５によってノート画面データ６２に対応付けられた部分のテキストが表示される場合には、該当箇所にその旨を示すリンク有りマークＭ２が表示されることとなる。
【００５６】
なお、以上のステップＳ３，Ｓ４においてＣＰＵ２０は、メインディスプレイ１０の端部にノートボタン１０１やノート検索ボタン１０２を表示させる（図８（ａ）参照）。ここで、ノートボタン１０１とは、新規なノート画面を作成したり、作成済みのノート画面を現在表示されているテキストに対してリンクさせたりする場合に操作されるボタンである。また、ノート検索ボタン１０２とは、作成済みのノート画面を検索して表示させる場合に操作されるボタンである。
【００５７】
次に、ＣＰＵ２０は、ノートボタン１０１に対してタッチ操作が行われるか否かを判定し（ステップＳ５）、行われたと判定した場合（ステップＳ５；Ｙｅｓ）には、新規なノート画面を作成する旨の操作が行われるか否かを判定する（ステップＳ６）。
【００５８】
このステップＳ６において新規なノートを作成する旨の操作が行われたと判定した場合（ステップＳ６；Ｙｅｓ）には、ＣＰＵ２０は、ノート作成処理を行う（ステップＳ７）。
【００５９】
具体的には、図５に示すように、このノート作成処理においてまずＣＰＵ２０は、カウント値「ｎ」に「１」を代入した後（ステップＴ１）、表示されているテキスト内で、文字列の指定操作を受け付ける（ステップＴ２）。
【００６０】
次に、ＣＰＵ２０は、メインディスプレイ１０の前面（前面レイヤー）に検索キー設定ウィンドウＷ１（図９（ａ）参照）を作成して、指定文字列の読みを検索キーワードとして表示させるとともに、当該読みについての書き換え操作を受け付ける（ステップＴ３）。また、このときＣＰＵ２０は、ノート情報６０を検索するためのキーとして使用するアイコン６４０（図９（ａ）参照）の選択操作を受け付ける。
【００６１】
次に、ＣＰＵ２０は、訳／決定キー２ｂが操作されるか否かを判定し（ステップＴ４）、操作されないと判定した場合（ステップＴ４；Ｎｏ）には上述のステップＴ３に移行する。
【００６２】
また、ステップＴ４において訳／決定キー２ｂが操作されたと判定した場合（ステップＴ４；Ｙｅｓ）には、ＣＰＵ２０は、検索キー設定ウィンドウＷ１に表示されている文字列を検索キーワード６３としてＲＡＭ９０に一時記憶させて、検索キー設定ウィンドウＷ１を閉じた後（ステップＴ５）、テキストを表示した状態の表示画面内で、指定文字列について手書き入力を受け付け、手書き入力の画像を手書き画像データ６２ａとしてＲＡＭ９０に一時記憶させる（ステップＴ６）。これにより、指定文字列についてのノート画面が作成される。なお、ステップＴ５においてＣＰＵ２０は、上述のステップＴ３においてアイコン６４０が選択されている場合には、当該アイコン６４０の種類をＲＡＭ９０に一時記憶させる。また、ステップＴ６においてＣＰＵ２０は、使用するペンの色（手書き画像の色）の選択操作を受け付け、何れかの色が選択された場合には、その色と、その色で手書き入力された部分とを対応付けて使用ペン色情報６２ｂとし、ＲＡＭ９０に一時記憶させる。
【００６３】
次に、ＣＰＵ２０は、訳／決定キー２ｂが操作されるか否かを判定し（ステップＴ７）、操作されないと判定した場合（ステップＴ７；Ｎｏ）には上述のステップＴ６に移行する。
【００６４】
また、ステップＴ７において訳／決定キー２ｂが操作されたと判定した場合（ステップＴ７；Ｙｅｓ）には、ＣＰＵ２０は、ＲＡＭ９０に一時記憶された手書き画像データ６２ａ、検索キーワード６３、アイコン６４０の種類及び使用ペン色情報６２ｂを、「ｎ」のノート番号６１に対応付けてノートデータベース６に記憶させる（ステップＴ８）。
【００６５】
次に、ＣＰＵ２０は、ノート画面を追加作成する旨の操作が行われるか否かを判定し（ステップＴ９）、行われたと判定した場合（ステップＴ９；Ｙｅｓ）には、カウント値「ｎ」に「１」を加えた後（ステップＴ１０）、上述のステップＴ２に移行する。これにより、指定コンテンツ７０Ｓにおける同一の部分のテキストを表示した状態の表示画面内で、文字列の指定及び手書き入力が複数回行われる結果、同一の指定文字列について、または異なる２以上の指定文字列について、複数のノート画面が作成される。
【００６６】
また、ステップＴ９においてノート画面を追加作成する旨の操作が行われないと判定した場合（ステップＴ９；Ｎｏ）には、ＣＰＵ２０は、ノートデータベース６における各ノート番号６１の情報に対し、現時点でのメインディスプレイ１０の表示内容に対応する登録位置情報６２ｃと、登録時画面情報６２ｄとを対応付けてノート情報６０として記憶させ（ステップＴ１１）、ノート作成処理を終了するとともに、図４に示すように、情報表示処理を終了する。
【００６７】
また、上述のステップＳ６において新規なノートを作成する旨の操作が行われないと判定した場合（ステップＳ６；Ｎｏ）には、ＣＰＵ２０は、表示されているテキスト部分に対して既存のノートへのリンクを設定する旨の操作が行われるか否かを判定し（ステップＳ８）、行われないと判定した場合（ステップＳ８；Ｎｏ）には他の処理へ移行する一方、行われたと判定した場合（ステップＳ８；Ｙｅｓ）にはノート貼付処理を行う（ステップＳ９）。
【００６８】
具体的には、図６に示すように、このノート貼付処理においてまずＣＰＵ２０は、ユーザ操作に基づいてノート情報６０の検索を行う（ステップＵ１）。より詳細には、このときＣＰＵ２０は、メインディスプレイ１０の前面にノート検索ウィンドウＷ２を作成して検索文字列の入力欄１０５を表示させ（図１３（ｃ）参照）、当該入力欄１０５に入力される検索文字列に対応する検索キーワード６３のノート情報６０をノートデータベース６から検索する。また、このときＣＰＵ２０は、ユーザ操作に応じて、指定コンテンツ７０Ｓについてのノート情報６０のみを検索するか、全てのコンテンツ７０についてのノート情報６０を検索するかを選択し、前者が選択された場合には、指定コンテンツ７０Ｓのコンテンツ名を登録位置情報６２ｃに含むノート情報６０のみを検索するようになっている。また、このときＣＰＵ２０は、ノート情報６０をアイコン６４０やペン色で探す旨の操作が行われた場合には、ノート情報６０に含まれる登録アイコンデータ６４のアイコン６４０や、使用ペン色情報６２ｂの色を一覧表示させ、ユーザに選択されるアイコン６４０や色に対応するノート情報６０を検索するようになっている。
【００６９】
次に、ＣＰＵ２０は、検索されたノート情報６０のノート画面をリンク先として決定する旨の操作が行われるか否かを判定し（ステップＵ２）、行われないと判定した場合（ステップＵ２；Ｎｏ）にはステップＵ１に移行する。
【００７０】
また、ステップＵ２においてリンク先として決定する旨の操作が行われたと判定した場合（ステップＵ２；Ｙｅｓ）には、ＣＰＵ２０は、ノート検索ウィンドウＷ２を閉じて、引き続きテキストをメインディスプレイ１０に表示させるとともに、当該メインディスプレイ１０の端部にリンク有りマークＭ２を表示させる（ステップＵ３）。
【００７１】
そして、ＣＰＵ２０は、検索されたノート情報６０のリンク元位置情報６５として、表示されているテキスト部分の位置情報をノートデータベース６に記憶させ（ステップＵ４）、ノート貼付処理を終了するとともに、図４に示すように、情報表示処理を終了する。これにより、任意のコンテンツにおける任意の部分のテキストと、任意のノート画面データ６２とを対応付けたリンク元位置情報６５がノート情報６０内に記憶される。
【００７２】
また、上述のステップＳ５においてノートボタン１０１に対してタッチ操作が行われないと判定した場合（ステップＳ５；Ｎｏ）には、ＣＰＵ２０は、メインディスプレイ１０にノート有りマークＭ１やリンク有りマークＭ２が表示されており、これらのマークに対してタッチ操作が行われるか否かを判定し（ステップＳ１１）、行われたと判定した場合（ステップＳ１１；Ｙｅｓ）には、ノート閲覧・編集処理を行う（ステップＳ１２）。
【００７３】
具体的には、図７に示すように、このノート閲覧・編集処理においてまずＣＰＵ２０は、操作されたノート有りマークＭ１またはリンク有りマークＭ２に対応するノート情報６０（以下、対応ノート情報６０Ｔとする）を読み出す（ステップＶ１）。具体的には、ノート有りマークＭ１が操作された場合には、ＣＰＵ２０は、現時点でメインディスプレイ１０に表示されているテキスト部分の位置情報を登録位置情報６２ｃとして有するノート情報６０それぞれを対応ノート情報６０Ｔとして読み出す。一方、リンク有りマークＭ２が操作された場合には、現時点でメインディスプレイ１０に表示されているテキスト部分の位置情報をリンク元位置情報６５として有するノート情報６０を対応ノート情報６０Ｔとして読み出す。
【００７４】
次に、ＣＰＵ２０は、メインディスプレイ１０の表示設定を、対応ノート情報６０Ｔの登録時画面情報６２ｄで示される表示設定に変更した後（ステップＶ２）、メインディスプレイ１０に表示されるテキスト部分を、対応ノート情報６０Ｔの登録位置情報６２ｃで示されるテキスト部分に変更する（ステップＶ３）。これにより、対応ノート情報６０Ｔのノート画面が作成されたときに表示されていた部分のテキストが、当該ノート画面が作成されたときの表示設定で表示される。
【００７５】
次に、ＣＰＵ２０は、カウント値「ｎ」に「１」を代入した後（ステップＶ４）、ステップＶ１で読み出した対応ノート情報６０Ｔから、「ｎ」のノート番号６１の手書き画像データ６２ａを読み出し、その手書き画像を、現時点でメインディスプレイ１０に表示されているテキスト部分に重ねて表示させる（ステップＶ５）。これにより、ノート画面データ６２の作成された部分のテキストが表示され、その旨がノート有りマークＭ１によって表示された場合には、ユーザ操作に基づいて当該ノート画面データ６２のノート画面が表示される。また、リンク元位置情報６５によってノート画面データ６２に対応付けられた部分のテキストが表示され、その旨がリンク有りマークＭ２によって表示された場合には、ユーザ操作に基づいて当該ノート画面データ６２のノート画面が表示される。
【００７６】
なお、このときＣＰＵ２０は、対応ノート情報６０Ｔから「ｎ」のノート番号６１の使用ペン色情報６２ｂを読み出し、その使用ペン色情報６２ｂで示される色で手書き画像を表示させる。また、このときＣＰＵ２０は、対応ノート情報６０Ｔから「ｎ」のノート番号６１の登録アイコンデータ６４を読み出し、その登録アイコンデータ６４で示されるアイコン６４０をメインディスプレイ１０の端部に表示させる。更に、このときＣＰＵ２０は、現時点で表示されているノート画面のノート番号６１（カウント値「ｎ」）や、編集ボタン１０３、ノートリンクボタン１０４をメインディスプレイ１０の端部に表示させる（図１１（ｂ）参照）。ここで、編集ボタン１０３は、ノート画面の編集を指示する場合に操作されるボタンである。また、ノートリンクボタン１０４は、ノート画面に対するリンク元として登録されているテキスト部分の表示を指示する場合に操作されるボタンである。
【００７７】
次に、ＣＰＵ２０は、編集ボタン１０３がタッチされるか否かを判定し（ステップＶ６）、タッチされないと判定した場合（ステップＶ６；Ｎｏ）には後述のステップＶ８に移行する。
【００７８】
また、ステップＶ６において編集ボタン１０３がタッチされたと判定した場合（ステップＶ６；Ｙｅｓ）には、ＣＰＵ２０は、上述のノート作成処理におけるステップＴ３〜ステップＴ７と同様に、検索キーワードや手書き画像等についての編集を受け付け、ノート情報６０を更新する（ステップＶ７）。
【００７９】
次に、ＣＰＵ２０は、次のノート画面の表示が指示されるか否かを判定し（ステップＶ８）、指示されたと判定した場合（ステップＶ８；Ｙｅｓ）には、カウント値「ｎ」に「１」を加えた後（ステップＶ９）、上述のステップＶ５に移行する。これにより、複数のノート画面が作成された部分のテキストが表示され、表示部分のテキストに対しノート画面が作成済みである旨がノート有りマークＭ１によって表示された場合には、ユーザ操作に基づいて、当該複数のノート画面が順に表示される。
【００８０】
また、ステップＶ８において次のノート画面の表示が指示されないと判定した場合（ステップＶ８；Ｎｏ）には、ＣＰＵ２０は、ノートリンクボタン１０４がタッチされるか否かを判定し（ステップＶ１０）、タッチされないと判定した場合（ステップＶ１０；Ｎｏ）には、ノート閲覧・編集処理を終了するとともに、図４に示すように、情報表示処理を終了する。
【００８１】
また、図７に示すように、ステップＶ１０においてノートリンクボタン１０４がタッチされたと判定した場合（ステップＶ１０；Ｙｅｓ）には、ＣＰＵ２０は、現時点でノート画面の表示されている対応ノート情報６０Ｔのリンク元位置情報６５から、リンク元のテキスト部分の項目名を読み出してメインディスプレイ１０に一覧表示させ（ステップＶ１１）、何れかの項目名がユーザに選択されると、その項目名に対応するリンク元位置情報６５によって示されるテキスト部分をメインディスプレイ１０に表示させ（ステップＶ１２）、ノート閲覧・編集処理を終了するとともに、図４に示すように、情報表示処理を終了する。なお、このステップＶ１２でメインディスプレイ１０にテキストが表示された後には、上述のステップＳ５に移行することとしても良い。
【００８２】
また、上述のステップＳ１１においてノート有りマークＭ１やリンク有りマークＭ２に対してタッチ操作が行われないと判定した場合（ステップＳ１１；Ｎｏ）には、ＣＰＵ２０は、ノート検索ボタン１０２が操作されるか否かを判定し（ステップＳ１３）、操作されないと判定した場合（ステップＳ１３；Ｎｏ）には他の処理へ移行する一方、操作されたと判定した場合（ステップＳ１３；Ｙｅｓ）には、上述のノート貼付処理におけるステップＵ１と同様に、ノート検索処理を行った後（ステップＳ１４）、情報表示処理を終了する。
【００８３】
（動作例）
続いて、上記の情報表示処理を具体的に説明する。
【００８４】
まず、ユーザが「日本史小事典」のコンテンツ７０（辞書データベース７０ａ）を指定コンテンツ７０Ｓとして指定し、この指定コンテンツ７０Ｓにおける見出し語「徳川家光」の項目テキストの任意の部分について、表示指示操作を行うと（ステップＳ１）、図８（ａ）に示すように、この部分の項目テキストがメインディスプレイ１０に表示される（ステップＳ３）。また、このときメインディスプレイ１０の端部にノートボタン１０１やノート検索ボタン１０２が表示される。
【００８５】
次に、ユーザがノートボタン１０１に対してタッチ操作を行い（ステップＳ５；Ｙｅｓ）、図８（ｂ）に示すように、新規なノート画面を作成する旨の操作を行うと（ステップＳ６；Ｙｅｓ）、カウント値「ｎ」に「１」が代入される（ステップＴ１）。
【００８６】
次に、図８（ｃ）に示すように、表示されているテキスト内で、ユーザが文字列「島原の乱」の指定操作を行うと（ステップＴ２）図９（ａ）に示すように、メインディスプレイ１０の前面に検索キー設定ウィンドウＷ１が作成されて、指定文字列の読み「しまばらのらん」が検索キーワードとして表示される（ステップＴ３）。また、このとき、ノート情報６０を検索するためのキーとして使用可能なアイコン６４０が一覧表示され、ユーザが「注」のアイコン６４０を選択する。なお、指定文字列の指定はタッチパネル１１０を介して行ってもよいし、キー群２を介して行ってもよい。
【００８７】
次に、ユーザが訳／決定キー２ｂを操作すると（ステップＴ４；Ｙｅｓ）、検索キー設定ウィンドウＷ１に表示されている文字列「しまばらのらん」が検索キーワード６３としてＲＡＭ９０に一時記憶されて、図９（ｂ）に示すように、検索キー設定ウィンドウＷ１が閉じられる（ステップＴ５）。また、このときユーザの選択したアイコン６４０の種類「注」がＲＡＭ９０に一時記憶される。
【００８８】
次に、テキストの表示された状態の表示画面内で、指定文字列についてユーザが手書き入力すると（ステップＴ６）、指定文字列「島原の乱」についてのノート画面が作成される。また、このとき手書き入力の画像が手書き画像データ６２ａとしてＲＡＭ９０に一時記憶される。また、本動作例においては、このときユーザはペンの色として、「水色」を選択しており、このペン色「水色」が使用ペン色情報６２ｂとしてＲＡＭ９０に一時記憶される。
【００８９】
次に、ユーザが訳／決定キー２ｂを操作すると（ステップＴ７；Ｙｅｓ）、ＲＡＭ９０に一時記憶された手書き画像データ６２ａ、検索キーワード６３、アイコン６４０の種類及び使用ペン色情報６２ｂが「１」のノート番号６１に対応付けられてノートデータベース６に記憶される（ステップＴ８）。
【００９０】
次に、図９（ｃ）に示すように、ノート画面を追加作成する旨の操作をユーザが行うと（ステップＴ９；Ｙｅｓ）、カウント値「ｎ」が「２」にされる（ステップＴ１０）。
【００９１】
次に、図１０（ａ）に示すように、表示されているテキスト内で、ユーザが文字列「キリシタン」の指定操作を行うと（ステップＴ２）図１０（ｂ）に示すように、メインディスプレイ１０の前面に検索キー設定ウィンドウＷ１が作成されて、指定文字列の読み「きりしたん」が検索キーワードとして表示される（ステップＴ３）。また、このとき、ノート情報６０を検索するためのキーとして使用可能なアイコン６４０が一覧表示される。但し、ここでは、ユーザはアイコン６４０を選択しないこととして説明する。
【００９２】
次に、ユーザが訳／決定キー２ｂを操作すると（ステップＴ４；Ｙｅｓ）、検索キー設定ウィンドウＷ１に表示されている文字列「きりしたん」が検索キーワード６３としてＲＡＭ９０に一時記憶されて、図１０（ｃ）に示すように、検索キー設定ウィンドウＷ１が閉じられる（ステップＴ５）。
【００９３】
次に、テキストの表示された状態の表示画面内で、指定文字列についてユーザが手書き入力すると（ステップＴ６）、指定文字列「キリシタン」についてのノート画面が作成される。また、このとき手書き入力の画像が手書き画像データ６２ａとしてＲＡＭ９０に一時記憶される。また、本動作例においては、このときユーザはペンの色として、「緑色」を選択しており、このペン色「緑色」が使用ペン色情報６２ｂとしてＲＡＭ９０に一時記憶される。
【００９４】
次に、ユーザが訳／決定キー２ｂを操作すると（ステップＴ７；Ｙｅｓ）、ＲＡＭ９０に一時記憶された手書き画像データ６２ａ、検索キーワード６３、アイコン６４０の種類及び使用ペン色情報６２ｂが「２」のノート番号６１に対応付けられてノートデータベース６に記憶される（ステップＴ８）。
【００９５】
そして、ノート画面を追加作成する旨の操作をユーザが行わないと（ステップＴ９；Ｎｏ）、ノートデータベース６における各ノート番号６１（「１」，「２」）の情報に対し、現時点でのメインディスプレイ１０の表示内容に対応する登録位置情報６２ｃと、登録時画面情報６２ｄとが対応付けられてノート情報６０として記憶される（ステップＴ１１）。
【００９６】
次に、ユーザが改めて「日本史小事典」のコンテンツ７０（辞書データベース７０ａ）を指定コンテンツ７０Ｓとして指定し、この指定コンテンツ７０Ｓにおける見出し語「徳川家光」の項目テキストの同じ部分について、表示指示操作を行うと（ステップＳ１）、図１１（ａ）に示すように、表示指示の行われた部分の項目テキストの位置情報と、ノート情報における登録位置情報６２ｃとが一致し、このテキスト部分に対してノート画面が対応付けられていると判定され（ステップＳ２；Ｙｅｓ）、当該部分の項目テキストとノート有りマークＭ１が表示される（ステップＳ４）。また、このときメインディスプレイ１０の端部にノートボタン１０１やノート検索ボタン１０２が表示される。なお、本動作例においては、このときメインディスプレイ１０の表示設定が変更されており、上述の図８〜図１０に示した状態よりも文字のポイントが大きくなっている。
【００９７】
次に、ノート有りマークＭ１に対してユーザがタッチ操作を行うと（ステップＳ１１；Ｙｅｓ）、ノート有りマークＭ１に対応する対応ノート情報６０Ｔが読み出される（ステップＶ１）。具体的には、現時点でメインディスプレイ１０に表示されているテキスト部分の位置情報を登録位置情報６２ｃとして有するノート情報６０（上述の操作によりノート番号６１が「１」、「２」として登録されたノート情報６０）それぞれが対応ノート情報６０Ｔとして読み出される。
【００９８】
次に、図１１（ｂ）に示すように、メインディスプレイ１０の表示設定が、対応ノート情報６０Ｔの登録時画面情報６２ｄで示される表示設定に変更された後（ステップＶ２）、メインディスプレイ１０に表示されるテキスト部分が、対応ノート情報６０Ｔの登録位置情報６２ｃで示されるテキスト部分に変更される（ステップＶ３）。これにより、対応ノート情報６０Ｔのノート画面が作成されたときに表示されていた部分のテキストが、当該ノート画面が作成されたときの表示設定で表示される。
【００９９】
次に、カウント値「ｎ」に「１」が代入された後（ステップＶ４）、対応ノート情報６０Ｔから、「１」のノート番号６１の手書き画像データ６２ａが読み出され、その手書き画像が、現時点でメインディスプレイ１０に表示されているテキスト部分に重ねて表示される（ステップＶ５）。また、このとき、メインディスプレイ１０の端部には、現時点で表示されているノート画面のノート番号６１（カウント値「１」、図中の右上部分参照）や、アイコン６４０、編集ボタン１０３、ノートリンクボタン１０４が表示される。
【０１００】
次に、ユーザが編集ボタン１０３にタッチ操作を行うと（ステップＶ６；Ｙｅｓ）、図１１（ｃ）に示すように、手書き画像に加え、検索キーワードやアイコンについても編集を行うか否かの選択肢が表示される。なお、このとき検索キーワードやアイコンについては編集を行わない旨の選択肢を選択すると、手書き画像のみが編集可能となり、検索キーワードやアイコンについても編集を行う旨の選択肢を選択すると、検索キーワード、アイコン及び手書き画像がそれぞれ編集可能となる。
【０１０１】
次に、ユーザが検索キーワードやアイコンについては編集を行わない旨の選択肢を選択し、図１２（ａ）に示すように、手書き画像についての編集を行うと、ノート情報６０が更新される（ステップＶ７）。なお、この図では、ペン色「赤色」を使用して新たに手書き入力部分を追加した状態を図示している。
【０１０２】
次に、次のノート画面の表示をユーザが指示すると（ステップＶ８；Ｙｅｓ）、カウント値「ｎ」が「２」とされた後（ステップＶ９）、対応ノート情報６０Ｔから、「２」のノート番号６１の手書き画像データ６２ａが読み出され、図１２（ｂ）に示すように、その手書き画像が、現時点でメインディスプレイ１０に表示されているテキスト部分に重ねて表示される（ステップＶ５）。また、このとき、メインディスプレイ１０の端部には、現時点で表示されているノート画面のノート番号６１（カウント値「２」、図中の右上部分参照）や、編集ボタン１０３、ノートリンクボタン１０４が表示される。
【０１０３】
次に、ユーザがノートリンクボタン１０４をタッチすると（ステップＶ１０；Ｙｅｓ）、図１２（ｃ）に示すように、現時点でノート画面の表示されている対応ノート情報６０Ｔ（ノート番号６１が「２」のノート情報６０）のリンク元位置情報６５から、リンク元のテキスト部分の項目名が読み出されてメインディスプレイ１０に一覧表示される（ステップＶ１１）。なお、本動作例においては、このリンク元位置情報６５には、「日本史小事典」の辞書データベース７０ａにおける項目「キリシタン大名」のテキスト部分の位置情報や、「百科事典」の辞書データベース７０ａにおける項目「踏絵」のテキスト部分の位置情報などが含まれている。
【０１０４】
次に、「百科事典」の辞書データベース７０ａにおける項目名「踏絵」がユーザに選択されると、図１３（ａ）に示すように、その項目名に対応するリンク元位置情報６５によって示されるテキスト部分がメインディスプレイ１０に表示される（ステップＶ１２）。なお、本実施の形態においては、このステップＶ１２の後には、上述のステップＳ５に処理が移行する。
【０１０５】
そして、ユーザがノートボタン１０１に対してタッチ操作を行い（ステップＳ５；Ｙｅｓ）、図１３（ｂ）に示すように、表示されているテキスト部分に対して既存のノートへのリンクを設定する旨の操作を行うと（ステップＳ８；Ｙｅｓ）、図１３（ｃ）に示すように、ユーザ操作に基づいてノート情報６０の検索が行われる（ステップＵ１）。より詳細には、このときメインディスプレイ１０の前面にはノート検索ウィンドウＷ２が作成されて、検索文字列の入力欄１０５が表示されるとともに、指定コンテンツ７０Ｓについてのノート情報６０のみを検索するか、全てのコンテンツ７０についてのノート情報６０を検索するかの選択肢が表示される。そして、全てのコンテンツ７０についてのノート情報６０を検索する旨の選択肢をユーザが選択し、入力欄１０５に検索文字列「きりしたん」を入力すると、図１４（ａ）に示すように、検索文字列に対応する検索キーワード６３のノート情報６０がノートデータベース６から検索されて、検出された各ノート情報６０の登録位置情報６２ｃにおける指定文字列がメインディスプレイ１０に一覧表示される。
【０１０６】
次に、ユーザが「日本史小事典」の辞書データベース７０ａにおける指定文字列「キリシタン」のノート情報６０を選択すると、図１４（ｂ）に示すように、そのノート画面が表示され、このノート画面をリンク先として決定する旨の操作をユーザが行うと（ステップＵ２；Ｙｅｓ）、図１４（ｃ）に示すように、引き続きテキストがメインディスプレイ１０に表示されるとともに、当該メインディスプレイ１０の端部にリンク有りマークＭ２が表示される（ステップＵ３）。
【０１０７】
また、上述の図１１（ａ）等に示した状態から、ユーザがノート検索ボタン１０２を操作すると（ステップＳ１３；Ｙｅｓ）、ユーザ操作に基づいてノート情報６０の検索が行われる（ステップＳ１４）。より詳細には、図１５（ａ）に示すように、このときメインディスプレイ１０の前面にはノート検索ウィンドウＷ２が作成されて、検索文字列の入力欄１０５が表示されるとともに、指定コンテンツ７０Ｓについてのノート情報６０のみを検索するか、全てのコンテンツ７０についてのノート情報６０を検索するかの選択肢が表示される。なお、この図では、ノート検索ウィンドウＷ２の背景のテキストを省略している。
【０１０８】
そして、アイコン６４０で探す旨の操作を行うと、図１５（ｂ）に示すように、ノート情報６０に含まれる登録アイコンデータ６４のアイコン６４０が一覧表示され、ユーザに選択されるアイコン６４０に対応するノート情報６０が検索される。
【０１０９】
一方、図１５（ａ）に示した状態から、全てのコンテンツ７０についてのノート情報６０を検索する旨の選択肢をユーザが選択し、入力欄１０５に検索文字列「しま」を入力すると、図１５（ｃ）に示すように、検索文字列に対応する（前方一致する）検索キーワード６３のノート情報６０がノートデータベース６から検索されて、検出された各ノート情報６０の登録位置情報６２ｃにおける指定文字列がメインディスプレイ１０に一覧表示される。
【０１１０】
以上の電子辞書１によれば、図３や図４のステップＳ１４、図５、図１５等に示したように、テキストを表示した状態の表示画面内で手書き入力を受けることで指定文字列についてのノート画面が作成されると、ノート画面を表すノート画面データ６２と、指定文字列または当該指定文字列の読みを表す検索キーワード６３とが対応付けられてノート情報６０として複数記憶され、ユーザから検索文字列の入力を受けると、複数のノート情報６０から、検索文字列に対応する検索キーワード６３のノート情報６０が検索され、検出されたノート情報６０のノート画面データ６２で表されるノート画面が表示されるので、検索文字列を入力することにより、当該検索文字列に対応する指定文字列について手書き入力の行われたノート画面が表示される。従って、画像データの登録番号からノート画面を探す従来の場合と比較して、ノート画面の検索性を向上させ、学習効果を高めることができる。
【０１１１】
また、図４のステップＳ４，Ｓ１２や図７、図１１（ａ），（ｂ）等に示したように、ノート画面が作成された部分のテキストが表示される場合にノート有りマークＭ１が表示され、ノート有りマークＭ１に対するタッチ操作に基づいて、当該ノート画面が表示されるので、表示されている部分のテキストに対してノート画面が作成されていることを確実に把握することができる。従って、同様のノート画面を再度作成してしまったり、以前に作成したノート画面の存在を忘れて利用しなくなってしまったりするのを防止することができるため、いっそう学習効果を高めることができる。
【０１１２】
また、図７のステップＶ５〜Ｖ９や図１１、図１２等に示したように、複数のノート画面が作成された部分のテキストが表示され、ノート有りマークＭ１が表示された場合に、ユーザ操作に基づいて、当該複数のノート画面が順に表示されるので、表示されている部分のテキストに対して複数のノート画面が作成されている場合に、各ノート画面を容易に確認することができる。
【０１１３】
また、図３や図７のステップＶ２〜Ｖ５等に示したように、ノート情報６０には、ノート画面の作成部分のテキストの位置情報を示す登録位置情報６２ｃと、当該ノート画面が作成されたときの表示画面の表示設定情報を示す登録時画面情報６２ｄと、手書き画像データ６２ａとが具備されており、登録位置情報６２ｃと登録時画面情報６２ｄとに基づいて、ノート画面が作成されたときの表示設定でノート画面の作成部分のテキストが表示されるとともに、この表示内容に重ねて手書き画像が表示されることにより、ノート画面が表示されるので、手書き画像と背景のテキストとからなるノート画面をスクリーンショットの画像データとして記憶する場合と比較して、手書き画像の画像データのサイズを小さくすることができるため、記憶されるデータ量を低減することができる。
【０１１４】
また、図３や図４のステップＳ４、Ｓ１２などに示したように、ユーザ操作に基づいて、任意のコンテンツ７０における任意の部分のテキストに対し、任意のノート画面データ６２が対応付けられてリンク元位置情報６５として記憶され、リンク元位置情報６５によりノート画面データ６２に対応付けられた部分のテキストが表示される場合には、リンク有りマークＭ２が表示された後、リンク有りマークＭ２に対するタッチ操作に基づいて、当該リンク元位置情報６５に対応するノート画面データ６２で表されるノート画面が表示されるので、以前に作成したノート画面を任意のテキストからのリンク先として使用することができる。
【０１１５】
なお、本発明を適用可能な実施形態は、上述した実施形態に限定されることなく、本発明の趣旨を逸脱しない範囲で適宜変更可能である。
【０１１６】
例えば、本発明に係る情報表示装置を電子辞書１として説明したが、本発明が適用可能なものは、このような製品に限定されず、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能である。また、本発明に係る情報表示プログラム８１は、電子辞書１に対して着脱可能な外部情報記憶媒体１２ａに記憶されることとしてもよい。
【０１１７】
また、ノート画面データ６２は手書き画像データ６２ａと、使用ペン色情報６２ｂと、登録位置情報６２ｃと、登録時画面情報６２ｄとを有することとして説明したが、ノート画面作成時のスクリーンショットの画像データのみを有することとしても良い。
【０１１８】
また、手書き画像データ６２ａをモノクロの画像データとして説明したが、手書き入力時に使用されていた各ペン色でのカラー画像データとしても良い。この場合には、１つの手書き画像に複数のペン色の手書き部分が含まれる場合であっても、使用ペン色情報６２ｂでは、各ペン色にその手書き部分を対応付けなくてもよい。
【０１１９】
また、上記の動作例では、「百科事典」の辞書データベース７０ａにおけるテキストからノート画面へのリンクを設定することとして説明したが、テキストコンテンツ７０ｂにおける何れかの部分のテキストからのリンクを設定することとしても良い。
【符号の説明】
【０１２０】
１      電子辞書
２０    ＣＰＵ
３０    入力部
４０    表示部
８１    情報表示プログラム
【図１】
0005353872.tif 000002
【図２】
0005353872.tif 000003
【図３】
0005353872.tif 000004
【図４】
0005353872.tif 000005
【図５】
0005353872.tif 000006
【図６】
0005353872.tif 000007
【図７】
0005353872.tif 000008
【図８】
0005353872.tif 000009
【図９】
0005353872.tif 000010
【図１０】
0005353872.tif 000011
【図１１】
0005353872.tif 000012
【図１２】
0005353872.tif 000013
【図１３】
0005353872.tif 000014
【図１４】
0005353872.tif 000015
【図１５】
0005353872.tif 000016